(57)【要約】【課題】  本発明は、動画像閲覧用端末装置側で、指定された動画像閲覧用電話番号を入力して、発信処理を行うだけで、所望の動画像を視聴することができるようにしたサーバ装置を提供することを目的とする。【解決手段】  動画像公開用端末装置６０から送信された動画像データと、当該動画像データ固有の動画像閲覧用電話番号とを対応付けて記憶する記憶部５０と、動画像閲覧用端末装置７０において、動画像閲覧用電話番号を指定する発信処理が行われると、記憶部５０に記憶されている動画像データの中から、動画像閲覧用電話番号と対応付けて記憶されている動画像データを読み出す読出制御部３０と、記憶部５０から読み出された動画像データを動画像閲覧用端末装置７０に送信する送信処理部４０とを備える。【選択図】  図１
2011228990.tif 000002
【特許請求の範囲】
【請求項１】
動画像公開用端末装置から送信された動画像データと、前記動画像データに割り当てられた前記動画像データ固有の動画像閲覧用電話番号とを対応付けて記憶する記憶部と、
動画像閲覧用端末装置において、前記動画像閲覧用電話番号を指定する発信処理が行われることにより、当該指定された前記動画像閲覧用電話番号を含む発信信号が、前記動画像閲覧用端末装置から送信されると、前記発信信号を受信する受信処理部と、
前記受信処理部によって受信された前記発信信号に含まれる前記動画像閲覧用電話番号に基づいて、前記記憶部に記憶されている前記動画像データの中から、前記動画像閲覧用電話番号と対応付けて記憶されている前記動画像データを読み出す読出制御部と、
前記記憶部から読み出された前記動画像データを、前記動画像閲覧用端末装置に送信する送信処理部と
を備えることを特徴とするサーバ装置。
【発明の詳細な説明】
【技術分野】
【０００１】
本発明は、サーバ装置に関する。
【背景技術】
【０００２】
近年、動画像データを携帯電話機に配信する方法として、種々の方法を採用するサーバ装置が提案及び開発されている（例えば特許文献１参照）。
【先行技術文献】
【特許文献】
【０００３】
【特許文献１】特開２０１０−５６７５１号公報
【発明の概要】
【発明が解決しようとする課題】
【０００４】
本発明は、動画像閲覧用端末装置側で、指定された動画像閲覧用電話番号を入力して、発信処理を行うだけで、所望の動画像を視聴することができるようにしたサーバ装置を提供することを目的とする。
【課題を解決するための手段】
【０００５】
本発明の一態様によるサーバ装置は、
動画像公開用端末装置から送信された動画像データと、前記動画像データに割り当てられた前記動画像データ固有の動画像閲覧用電話番号とを対応付けて記憶する記憶部と、
動画像閲覧用端末装置において、前記動画像閲覧用電話番号を指定する発信処理が行われることにより、当該指定された前記動画像閲覧用電話番号を含む発信信号が、前記動画像閲覧用端末装置から送信されると、前記発信信号を受信する受信処理部と、
前記受信処理部によって受信された前記発信信号に含まれる前記動画像閲覧用電話番号に基づいて、前記記憶部に記憶されている前記動画像データの中から、前記動画像閲覧用電話番号と対応付けて記憶されている前記動画像データを読み出す読出制御部と、
前記記憶部から読み出された前記動画像データを、前記動画像閲覧用端末装置に送信する送信処理部と
を備える。
【発明の効果】
【０００６】
本発明によるサーバ装置によれば、動画像閲覧用端末装置側で、指定された動画像閲覧用電話番号を入力して、発信処理を行うだけで、所望の動画像を視聴することができる。
【図面の簡単な説明】
【０００７】
【図１】本発明の実施の形態による動画像配信システムの構成を示すブロック図である。
【図２】本発明の実施の形態によるサーバ装置が設置されたコロケーションハウジングシステムの構成の一例を示すブロック図である。
【発明を実施するための形態】
【０００８】
以下、本発明の実施の形態について図面を参照して説明する。
【０００９】
図１に、本発明の実施の形態による動画像配信システム１０の構成を示す。この動画像配信システム１０は、動画像データを蓄積及び配信するためのサーバ装置２０と、所望の動画像を撮像し、得られた動画像データをサーバ装置２０に送信するための携帯電話機６０と、所定の電話番号（以下、これを動画像閲覧用電話番号と呼ぶ）を指定し、サーバ装置２０に対して発信処理を行うことにより、当該サーバ装置２０から動画像データを取得し閲覧するための携帯電話機７０とを有する。
【００１０】
携帯電話機６０は、動画像公開用端末装置として使用され、動画像公開者の操作に応じて、所望の動画像を撮像し、得られた動画像データをサーバ装置２０に送信する。なお、本実施の形態の場合には、動画像データと共に音声データも取得され、この動画像データには音声データが含まれているものとする。
【００１１】
サーバ装置２０は、携帯電話機６０から送信されてきた動画像データを送受信処理部４０によって受信し、当該受信した動画像データを制御部３０を介して記憶部５０に与えることにより、動画像データを記憶部５０に記憶する。
【００１２】
ところで、この動画像データには、当該動画像データ固有の動画像閲覧用電話番号が予め発行及び付与され、制御部３０は、送信されてきた動画像データを、当該動画像データ固有の動画像閲覧用電話番号と対応付けて記憶部５０に記憶する。
【００１３】
このようにして、サーバ装置２０は、動画像公開用端末装置から動画像データが順次送信されてくると、当該送信されてきた動画像データを、当該動画像データ固有の動画像閲覧用電話番号と対応付けてそれぞれ記憶部５０に順次記憶していく。
【００１４】
この状態において、動画像閲覧者が、動画像閲覧用端末装置としての携帯電話機７０を操作することにより、所望の動画像閲覧用電話番号を指定して、サーバ装置２０に対して発信処理を行うと、携帯電話機７０は、指定された動画像閲覧用電話番号を含む発信信号を生成し、これをサーバ装置２０に送信する。
【００１５】
サーバ装置２０は、送信されてきた発信信号を送受信処理部４０によって受信すると、これを制御部３０に与える。制御部３０は、この発信信号に含まれる動画像閲覧用電話番号と対応付けて記憶部５０に記憶されている動画像データを、当該記憶部５０から読み出し、これを送受信処理部４０を介して携帯電話機７０に送信する。
【００１６】
携帯電話機７０は、サーバ装置２０から配信された動画像データを受信し表示することにより、当該動画像データを閲覧可能な状態にする。
【００１７】
このように本実施の形態によれば、指定された動画像閲覧用電話番号を入力して、発信処理を行うだけで、所望の動画像を視聴することができ、例えばＱＲコード（登録商標）やＵＲＬを指定する従来の場合と比較して、ユーザの使い勝手を向上させることができる。
【００１８】
ここで、本実施の形態によるサーバ装置２０を、通信事業者が運営するコロケーションハウジングシステム内に設置した場合の一例を図２に示す。この図２に示すように、コロケーションハウジングシステム１００は、局交換機１１０と、インターネット１９０に接続されたバックボーン１２０とを有する。
【００１９】
バックボーン１２０には、本実施の形態によるサーバ装置２０に対応する動画像配信サーバ１３０及び１６０と、トランスコーダ１４０と、ＦＴＰサーバ１５０と、携帯変換サーバ１７０と、メール／ウェブサーバ１８０とが接続されている。
【００２０】
この場合、動画像配信サーバ１３０及び１６０は、局交換機１１０を介して携帯電話機と通信を行うようになされている。
【００２１】
なお、上述の実施の形態においては、記憶部として、記憶部５０を適用した場合について述べたが、本発明はこれに限らず、携帯電話機６０から送信された動画像データと、動画像データに割り当てられた動画像データ固有の動画像閲覧用電話番号とを対応付けて記憶する他の種々の記憶部を適用するようにしても良い。
【００２２】
また、上述の実施の形態においては、受信処理部として、送受信処理部４０を適用した場合について述べたが、本発明はこれに限らず、携帯電話機７０において、動画像閲覧用電話番号を指定する発信処理が行われることにより、当該指定された動画像閲覧用電話番号を含む発信信号が、携帯電話機７０から送信されると、発信信号を受信する他の種々の受信処理部を適用するようにしても良い。
【００２３】
また、上述の実施の形態においては、読出制御部として、制御部３０を適用した場合について述べたが、本発明はこれに限らず、送受信処理部４０によって受信された発信信号に含まれる動画像閲覧用電話番号に基づいて、記憶部５０に記憶されている動画像データの中から、動画像閲覧用電話番号と対応付けて記憶されている動画像データを読み出す他の種々の読出制御部を適用するようにしても良い。
【００２４】
また、上述の実施の形態においては、送信処理部として、送受信処理部４０を適用した場合について述べたが、本発明はこれに限らず、記憶部５０から読み出された動画像データを、携帯電話機７０に送信する他の種々の送信処理部を適用するようにしても良い。
【符号の説明】
【００２５】
１０  動画像配信システム
２０  サーバ装置
３０  制御部
４０  送受信処理部
５０  記憶部
６０、７０  携帯電話機
【図１】
2011228990.tif 000003
【図２】
2011228990.tif 000004